(57)【特許請求の範囲】
【請求項１】
庫内に配置されて、冷凍ユニット（１４）を組付けるための冷却用開口部（１１ｄ１）を設けた庫壁（天面パネル１１ｄ）とにより、冷気通路（Ｐ）を形成するダクト（１５）を備えた冷却貯蔵庫（１０）において、前記ダクト（１５）は、柔軟で手曲げ可能な樹脂シートを素材として、台形形状部とこの台形形状部の上底中央から延出形成され上底に沿う辺を長辺とする長方形状部を有する形状に形成されており、前記長方形状部は前記冷却用開口部（１１ｄ１）内で手曲げ変形されて湾曲しており延出端部に設けた取付孔（１５ａ，１５ｂ）に通したねじ（１７）により前記冷凍ユニットのベース（１４ａ）に固定され、前記台形形状部は前記庫壁の内側で下底の中央部が手曲げ変形されて前記庫壁から離れるように湾曲しており下底部の両端に設けた取付孔（１５ｅ，１５ｆ）に通したねじ（１７）と上底部の両端に設けた取付孔（１５ｃ，１５ｄ）に通したねじ（１７）とにより前記庫壁に固定されていて、前記庫壁（天面パネル１１ｄ）と前記ダクト（１５）間に前記冷気通路（Ｐ）が形成されることを特徴とする冷却貯蔵庫のダクト構造。
【請求項２】
前記ダクトは、平板状の樹脂シートから前記台形形状部と前記長方形状部を有する所定の形状に打ち抜かれて形成されていることを特徴とする請求項１に記載の冷却貯蔵庫のダクト構造。
【発明の詳細な説明】
【０００１】
【発明の属する技術分野】
本発明は、冷却貯蔵庫（冷蔵庫、冷凍庫等）のダクト構造に関する。
【０００２】
【従来の技術】
冷却貯蔵庫の一つとして、従来、図５に示したように、庫内Ｒに配置したダクト２１が天面パネル（庫壁）２２にねじ２３を用いて組付けられることで、ダクト２１と天面パネル２２間に冷気通路Ｐが形成されるようにしたものがある。なお、冷却貯蔵庫の庫内に樹脂製のダクトを組付けることで、ダクトと庫壁間に冷気通路を形成するようにした冷却貯蔵庫は、例えば、特許第２５６３４４５号公報に示されている。
【０００３】
【発明が解決しようとする課題】
上記した従来の冷却貯蔵庫（図５に例示した冷却貯蔵庫）においては、採用されているダクト２１が、樹脂成形品または板金加工品であって、自由状態でも立体的な形状を呈している。このため、ダクト２１の搬送に際して大きな梱包ケースが必要であり、搬送性が悪い。なお、ダクト２１の搬送は、例えば、当該冷却貯蔵庫が大型で、搬送先にて組み立てられるようなもの（例えば、プレハブ型の冷却貯蔵庫）において要求される。また、樹脂にて型成形されるダクトは、大量生産される場合には成形型が高価であるにも拘らず部品単価を安くすることが可能であるが、小量生産される場合には部品単価を安くすることが困難である。
【０００４】
【課題を解決するための手段】
本発明は、上記した課題に対処すべく、庫内に配置されて、冷凍ユニットを組付けるための冷却用開口部を設けた庫壁とにより、冷気通路を形成するダクトを備えた冷却貯蔵庫において、前記ダクトは、柔軟で手曲げ可能な樹脂シートを素材として、台形形状部とこの台形形状部の上底中央から延出形成され上底に沿う辺を長辺とする長方形状部を有する形状に形成されており、前記長方形状部は前記冷却用開口部内で手曲げ変形されて湾曲しており延出端部に設けた取付孔に通したねじにより前記冷凍ユニットのベースに固定され、前記台形形状部は前記庫壁の内側で下底の中央部が手曲げ変形されて前記庫壁から離れるように湾曲しており下底部の両端に設けた取付孔に通したねじと上底部の両端に設けた取付孔に通したねじとにより前記庫壁に固定されていて、前記庫壁と前記ダクト間に前記冷気通路が形成されること（請求項１に係る発明）に特徴がある。前記ダクトは、平板状の樹脂シートから前記台形形状部と前記長方形状部を有する所定の形状に打ち抜かれて形成されていること（請求項２に係る発明）が望ましい。
【０００５】
【発明の作用・効果】
本発明による冷却貯蔵庫のダクト構造（請求項１に係る発明）においては、ダクトの素材を柔軟で手曲げ可能な樹脂シートで構成したため、ダクトを庫壁に組付けるまではダクトを平板状として取り扱うことが可能である。このため、ダクトを重ねて小さな梱包ケース内にコンパクトに梱包することが可能であり、搬送性を良好とすることが可能である。また、ダクトが平板状の樹脂シートから所定の形状に打ち抜かれて形成されている場合（請求項２に係る発明の場合）には、ダクトの成形型費を抑えることができて、ダクトを小量生産する場合にも部品単価を安くすることが可能である。
【０００６】
【発明の実施の形態】
以下に、本発明の一実施形態を図面に基づいて説明する。図１〜図４は本発明によるダクト構造を採用した冷却貯蔵庫１０を示していて、この冷却貯蔵庫１０は、床面パネル（図示省略）、背面パネル１１ａ、左側面パネル１１ｂ、右側面パネル１１ｃおよび天面パネル１１ｄを組み立てることで形成されて前方に開口を有する断熱構造の冷却貯蔵庫本体１１と、この冷却貯蔵庫本体１１に各ヒンジ１３を介して開閉可能に組付けた断熱構造の冷却貯蔵庫扉１２を備えるとともに、天面パネル１１ｄ上に組付けられる冷凍ユニット１４と、庫内に配置されるダクト１５を備えている。
【０００７】
冷凍ユニット１４は、天面パネル１１ｄにねじ１６を用いて組付けられるベース１４ａと、これに予め組付けた圧縮機１４ｂ、凝縮器１４ｃ、凝縮器冷却用ファンモータ１４ｄ、膨張弁１４ｅ、冷却器１４ｆ、一対の冷気循環用ファンモータ１４ｇ、カバー１４ｈ等を備えている。なお、冷却器１４ｆと一対の冷気循環用ファンモータ１４ｇを収容するカバー１４ｈは、図１では一部が省略されている。
【０００８】
この冷凍ユニット１４は、冷却器１４ｆと冷気循環用ファンモータ１４ｇが天面パネル１１ｄに設けた冷却用開口部１１ｄ１上に配置されるようにして組付けられるもので、天面パネル１１ｄに組付けられた状態では、図３に示したように、カバー１４ｈ内と冷却貯蔵庫本体１１内（庫内Ｒ）がベース１４ａに設けた流入孔１４ａ１と流出孔１４ａ２（冷気循環用ファンモータ１４ｇが設けられている）を通して連通する。
【０００９】
ダクト１５は、天面パネル１１ｄとにより冷気通路Ｐを形成するものであり、冷凍ユニット１４が天面パネル１１ｄに組付けられた後に、天面パネル１１ｄとベース１４ａにねじ１７を用いて組付けられている。このダクト１５は、柔軟で手曲げ可能な樹脂シート（例えば、板厚０．５mm程度の塩ビまたはＰＥＴ等の樹脂シート）を素材として構成されていて、平板状の樹脂シートから図４に示した所定の形状（台形形状部とこの台形形状部の上底中央から延出形成され上底に沿う辺を長辺とする長方形状部を有する形状）に打ち抜かれて形成されている。
【００１０】
また、ダクト１５は、６個の取付孔１５ａ〜１５ｆを有していて、取付孔１５ａと１５ｂ（長方形状部の延出端部に設けた取付孔）間の間隔Ｌ１はベース１４ａに設けた取付孔１４ａ３と１４ａ４間の間隔Ｌ４に略等しく形成され、取付孔１５ｃと１５ｄ（台形形状部における上底部の両端に設けた取付孔）間の間隔Ｌ２は天面パネル１１ｄの下面に設けた取付孔１１ｄ２と１１ｄ３間の間隔Ｌ５に略等しく形成され、取付孔１５ｅと１５ｆ（台形形状部における下底部の両端に設けた取付孔）間の間隔Ｌ３は天面パネル１１ｄの下面に設けた取付孔１１ｄ４と１１ｄ５間の間隔Ｌ６より所定量大きく形成されている。
【００１１】
このため、ダクト１５の素材である平板状の樹脂シート（図４参照）を手で曲げて変形させた状態（図２参照）にて天面パネル１１ｄとベース１４ａに組付けることで、天面パネル１１ｄの冷却用開口部１１ｄ１が、ベース１４ａの流入孔１４ａ１に連通する流入室Ｒ１と、ベースプレート１４ａの流出孔１４ａ２に連通する流出室Ｒ２に区画されるとともに、流出室Ｒ２からの冷気を庫内Ｒの左方に導くための導出室Ｒ３が区画されて、天面パネル１１ｄとダクト１５間に図３の矢印で示したように冷気を循環させる冷気通路Ｐが形成される。なお、図３の矢印で示した冷気の循環は、冷凍ユニット１４の冷気循環用ファンモータ１４ｇが作動することにより生じる。
【００１２】
ところで、ダクト１５は、始めに取付孔１５ｃと１５ｅにねじ１７を通して天面パネル１１ｄの取付孔１１ｄ２と１１ｄ４に固定し、次いで取付孔１５ｄと１５ｆにねじ１７を通して天面パネル１１ｄの取付孔１１ｄ３と１１ｄ５に固定し、最後に取付孔１５ａと１５ｂにねじ１７を通してベース１４ａの取付孔１４ａ３と１４ａ４に固定すること（組付順序は適宜変更可能）で組付けられ、取付孔１５ｄと１５ｆにねじ１７を通して天面パネル１１ｄの取付孔１１ｄ３と１１ｄ５に固定する際に、取付孔１５ｅと１５ｆ間が手にて図２に示したように下方に（天面パネル１１ｄから離れるように）湾曲され、また、取付孔１５ａと１５ｂにねじ１７を通してベース１４ａの取付孔１４ａ３と１４ａ４に固定する際に、取付孔１５ａと１５ｂ間が手にて図２に示したように上方に湾曲されるとともに水平に屈曲される。なお、上方に湾曲された部位では、前後両端部（ダクト１５の端面）が天面パネル１１ｄの冷却用開口部１１ｄ１の壁面に摺接する。
【００１３】
上記のように構成したこの実施形態の冷却貯蔵庫１０においては、ダクト１５の素材を柔軟で手曲げ可能な樹脂シートで構成したため、ダクト１５を天面パネル１１ｄとベース１４ａに組付けるまではダクト１５を平板状として取り扱うことが可能である。このため、ダクト１５を重ねて小さな梱包ケース内にコンパクトに梱包することが可能であり、搬送性を良好とすることが可能である。
【００１４】
また、この実施形態においては、ダクト１５が平板状の樹脂シートから所定の形状（台形形状部とこの台形形状部の上底中央から延出形成され上底に沿う辺を長辺とする長方形状部を有する形状）に打ち抜かれて形成されている。このため、ダクト１５を図２に示したように湾曲した形状に成形型にて成形する場合に比して、ダクト１５の型費を抑えることができて、ダクト１５を小量生産する場合にも部品単価を安くすることが可能である。
【００１５】
上記実施形態においては、ダクト１５が天面パネル（冷却貯蔵庫における上方の庫壁）１１ｄに組付けられて冷気通路Ｐが形成される場合について説明したが、ダクトが他の庫壁に組付けられて冷気通路が形成される場合にも本発明は上記実施形態と同様にまたは適宜変更して実施することが可能である。
【図面の簡単な説明】
【図１】  本発明によるダクト構造を採用した冷却貯蔵庫の一実施形態を示す部分斜視図である。
【図２】  図１に示した冷却貯蔵庫の内部を部分的に示す斜視図である。
【図３】  図１に示した天面パネルに図１に示した冷凍ユニットと図２に示したダクトを組付けた状態の要部縦断正面図である。
【図４】  図２および図３に示したダクト単体の平面図である。
【図５】  従来のダクト構造を例示した斜視図である。
【符号の説明】
１０…冷却貯蔵庫、１１…冷却貯蔵庫本体、１１ａ…背面パネル、１１ｂ…左側面パネル、１１ｃ…右側面パネル、１１ｄ…天面パネル、１１ｄ１…冷却用開口部、１２…冷却貯蔵庫扉、１３…ヒンジ、１４…冷凍ユニット、１４ａ…冷凍ユニットのベース、１５…ダクト、１５ａ〜１５ｆ…取付孔、１６，１７…ねじ、Ｐ…冷気通路。
【図１】
0003875124.tif 000002
【図２】
0003875124.tif 000003
【図３】
0003875124.tif 000004
【図４】
0003875124.tif 000005
【図５】
0003875124.tif 000006